(57)【要約】      （修正有）【課題】構造が簡単であり、広い範囲の掃除の用途に使用可能で、実用性に富む清掃用ヘラを提供する。【解決手段】清掃用ヘラ１として、長方形状の概略構成を持つ板材からなるヘラ本体と、ヘラ本体の一方の端部近辺に設けられ、長方形状の板材の長手方向に伸びる一辺の一部を傾斜方向に切り落とした長手カット部２と、ヘラ本体の他方の端部に形成され、長方形状の板材の短手方向に延びる辺を傾斜方向に切り落とした短手カット部３とを有することを要旨とする。これにより、ヘラ本体に布を巻き、前記長手カット部、短手カット部または長方形状の板材の長辺部を掃除の対象部位に当てて拭き掃除その他の清掃を行うことができる。【選択図】図１
0003161025.tif 000002
【実用新案登録請求の範囲】
【請求項１】
長方形状の概略構成を持つ板材からなるヘラ本体と、
ヘラ本体の一方の端部近辺に設けられ、長方形状の板材の長手方向に伸びる一辺の一部を傾斜方向に切り落とした長手カット部と、
ヘラ本体の他方の端部に形成され、長方形状の板材の短手方向に延びる辺を傾斜方向に切り落とした短手カット部とを有し、
前記ヘラ本体に布を巻き、前記長手カット部、短手カット部または長方形状の板材の長辺部を掃除の対象部位に当てて拭き掃除その他の清掃を行うようにしたことを特徴とする清掃用ヘラ。
【請求項２】
前記長手カット部は、当該長手カット部が平面状の対象部位に当たると、長方形状の板材の長辺部が前記対象部位から遠ざかる方向へ傾斜して延びるような傾斜構造であることを特徴とする請求項１記載の清掃用ヘラ。
【請求項３】
前記長方形状の板材の長辺部は、把持部となることを特徴とする請求項１記載の清掃用ヘラ。
【考案の詳細な説明】
【技術分野】
【０００１】
本考案は、構造が簡単で実用性に富む清掃用ヘラに関するものである。
【背景技術】
【０００２】
従来、清掃用具としては、箒（ほうき）などの掃き掃除用の道具、窓拭き用のワイパー具（手で持って窓を拭く）などそれぞれの目的に応じた道具が使われていた。これらの道具についての各種工夫した提案もなされている(例えば、特許文献１参照)。
【０００３】
この特許文献に記載された発明は、アームの近位に握り部を設ける一方、アームの遠位内側に払拭面を設け、窓ガラスを拭き掃除する場合に、室内から窓の外側ガラス面を拭くことが出来るようにしたものである。
【先行技術文献】
【特許文献】
【０００４】
【特許文献１】特開２００５−８７６８８号公報
【考案の概要】
【考案が解決しようとする課題】
【０００５】
しかしながら、上記特許文献に示された技術及びその他の従来技術においては、通常、単一の機能しか持たないものや、掃除ができる用途範囲が限られたものが多い。そして、単体でもって拭き掃除にも、ゴミ取り掃除にも使え、また、拭き掃除をとってみても窓拭きにも、床や壁、或いは家具や調度品までも拭き掃除できるといった掃除具は見当たらない。そこで、種々の掃除の用途に対応するためには、それぞれ異なった清掃用具を揃えなければならなかった。
【０００６】
本考案は、上述したような事情に鑑みてなされたものであり、その目的は、構造が簡単であり、広い範囲の掃除の用途に使用可能で、実用性に富む清掃用ヘラを提供することにある。
【課題を解決するための手段】
【０００７】
本考案は、上記目的を達成するため、清掃用ヘラとして、長方形状の概略構成を持つ板材からなるヘラ本体と、ヘラ本体の一方の端部近辺に設けられ、長方形状の板材の長手方向に伸びる一辺の一部を傾斜方向に切り落とした長手カット部と、ヘラ本体の他方の端部に形成され、長方形状の板材の短手方向に延びる辺を傾斜方向に切り落とした短手カット部とを有することを特徴とする。これにより、ヘラ本体に布を巻き、前記長手カット部、短手カット部または長方形状の板材の長辺部を掃除の対象部位に当てて拭き掃除その他の清掃を行うことができる。
【０００８】
前記清掃用ヘラにおいて、前記長手カット部は、当該長手カット部が平面状の対象部位に当たると、長方形状の板材の長辺部が前記対象部位から遠ざかる方向へ傾斜して延びるような傾斜構造にすることができる。そして、前記長方形状の板材の長辺部は、把持部となることができる。これにより、清掃作業に当って、作業者が清掃用ヘラをしっかり把持して拭き掃除することができるという作用を有する。
【考案の効果】
【０００９】
本考案によれば、シンプルで軽く、保管場所をとらない。使用に当っては、本考案の清掃用ヘラに布（マイクロファイバー、タオル、濡れぞうきん等を含む）を巻いて、窓ガラス、壁、床、鏡、家具などの調度品、その他拭き掃除の必要な対象部位にはどこでも使用可能である。この清掃用ヘラには周囲の辺に種々のカット部が形成されているから、拭き掃除の対象部位に合わせて、或いは拭き掃除の対象部位と清掃用ヘラの使用者との位置関係に合わせて最適なヘラ部位（またはカット部位）を使って拭き掃除が行える。そして、棚の隅、家具の隙間床の隅、床と壁の境界など手が届き難い箇所や、無理な体勢を要する箇所の拭き掃除も楽に行えるなどの効果が得られる。
【図面の簡単な説明】
【００１０】
【図１】本考案の一実施の形態に係る清掃用ヘラの平面図である。
【図２】前記実施の形態に於ける長手カット部をガラス面に当てて拭く状態を説明する側面図である。
【考案を実施するための形態】
【００１１】
以下、本考案の実施の形態について、図１から図４を用いて説明する。図１は本考案の一実施の形態に係る清掃用ヘラの構成を示す平面図である。この清掃用ヘラ１は、全体的には細長い板材から成り、長さ（Ｌ）は約３０ｃｍ（センチメートル）、幅（Ｄ）が２．５〜３．５ｃｍである。したがって、この実施の形態に係る清掃用ヘラ１の本体１ｃは通常市販されている物差しから連想される板状の長方形形状の概略構成を持つ。清掃用ヘラ１の材質としては、プラスチック、シリコンが適当であり、金属や木材であってもかまわない。或る程度は剛性を持ち、且つ人を傷付けない材質が好ましい。なお、清掃用ヘラ１の寸法及び材質は上述のものに限定されず種々の変更、改変が可能である。
【００１２】
図１に示されているように、清掃用ヘラ１の一方の端部には、長方形状の板材の長手方向に伸びる一辺の一部を傾斜方向に切り落とした長手カット部２が形成されており、この長手カット部３の両端には末端角部２ａと、長手カット部２が始まる始端角部２ｂとが形成されている。この長手カット部２は、例えば、清掃用ヘラ１の長手方向長さ（Ｐとする）が約８ｃｍ延び、当該清掃用ヘラ１の端部において幅方向内側へ長さ（Ｑとする）が約２ｃｍ食い込んで形成されている。清掃用ヘラ１の、上記長手カット部２以外の長手部分には、ヘラ本体１ｃの両側において長辺１ａ、１ｂが延びている。
【００１３】
他方、清掃用ヘラ１の他方の端部には、長方形状の板材の短手方向（幅方向）に延びる辺を傾斜方向に切り落とした短手カット部３が形成されており、この短手カット部３の両端には鈍角状をした短手鈍角部３ａと、鋭角状をした短手鋭角部３ｂとが形成されている。この短手カット部３は、例えば、清掃用ヘラ１の短手方向の辺の全長にわたって延び、当該清掃用ヘラ１の他端において約１ｃｍ食い込んで切り落とされることにより傾斜が形成される。
【００１４】
また、清掃用ヘラ１の、短手カット部３が形成されている端部付近には、穴４が形成されている。この穴４には紐（図示してない）が通されて屋内の所定の格納場所に吊るし収納されてもよい。
【００１５】
かかる構成を有する清掃用ヘラ１の使用例について説明する。
【００１６】
（１）窓ガラスの拭き掃除
清掃用ヘラ１に布（マイクロファイバー、タオル、濡れぞうきん等を含む）を巻いて、窓ガラスの拭き掃除を行う。拭き掃除の対象部位が内側（室内側）のガラス面である場合は、長辺１ａ、１ｂをガラス面に当てて拭いてもよいし、或いは長手カット部２をガラス面に当てて拭いてもよい。しかし、清掃用ヘラ１が上述のように板状の長方形形状の概略構成を持つ点から考えると、長手カット部２をガラス面に当てて拭く方が清掃用ヘラ１をしっかり握って拭き掃除できる点で好ましい。図２は長手カット部２をガラス面に当てて拭く状態を説明する側面図である。すなわち、長手カット部２は、長辺部１ｂの途中から清掃用ヘラ１の端部において幅方向内側へ食い込むように傾斜して形成されているから、図２に示されるように、長手カット部２が窓ガラス５のガラス面５ａ（より一般的に考えれば、「平面状の対象部位」）に当たると、作業者の握り部分に相当する長辺部１ａ、１ｂは上記ガラス面５ａから遠ざかる方向へ延びて、ガラス面５ａとの間に充分なスペース６が形成される。したがって、作業者は楽に且つ確実に清掃用ヘラ１を握ることができる。また、清掃用ヘラ１を１つの板棒と考えると、棒の基端側部分を握って棒の先端側部分で拭き掃除をするから、窓ガラス５のより高い部分まで拭き掃除をすることができる。
【００１７】
同様の理由で、拭き掃除の対象部位が外側（室外側）のガラス面である場合は、長手カット部２をガラス面に当てて拭く方が清掃用ヘラ１をしっかり握って拭き掃除できる点でさらに好ましい。すなわち、図２に示されるガラス面５ａが外側ガラス面であるとした場合、長手カット部２が窓ガラス５のガラス面５ａに当たると、作業者の握り部分に相当する長辺部１ａ、１ｂは上記ガラス面５ａから遠ざかる方向へ延びてガラス面５ａとの間に充分なスペース６が形成される。したがって、作業者は楽に且つ確実に清掃用ヘラ１を握ることができ、窓拭き作業中に清掃用ヘラ１を窓の外に落とすといった事故も生じにくい。このように、窓ガラスなどを綺麗に拭き掃除して光らせることは、先の見通しがよくなり、物の識別がし易くなり、外光を充分に取り入れることが出来るなど利点が多い。このような拭き掃除は鏡などについて行っても同様の利点が得られる。
【００１８】
また、拭き掃除としては床拭き、壁拭き、家具や什器の外面拭きなどの拭き掃除においても同様な作業をすることができる。
【００１９】
（２）隙間掃除
窓ガラスのコーナー、棚や家具の隙間、冷蔵庫の下、風呂場のタイル目地の拭き掃除の例
【００２０】
清掃用ヘラ１に布を巻いて、窓ガラスの拭き掃除を行う点は上記（１）と同じである。しかし、この場合は拭き掃除の対象部位がコーナー部であったり、狭い部分であることがあるため、それぞれの対象部位に応じて長手カット部２と短手カット部３とを使い分ける。例えば、比較的スペースが確保されているコーナーや隙間では長手カット部２を使って拭き掃除を行い、狭いスペースしか確保されていないコーナーや隙間では短手カット部３を使って拭き掃除を行うといったことができる。このように拭き掃除の対象部位の状態、状況に応じて１つの清掃用ヘラ１の各部を使い分けることにより種々の作業動作を実現することができる。
【００２１】
（３）家具内部の掃除
食器棚の内部、机の引出しの内部、冷蔵庫の中などの拭き掃除
清掃用ヘラ１に布を巻いて、窓ガラスの拭き掃除を行う点は上記（１）と同じである。しかし、この場合は拭き掃除の対象部位が比較的狭いスペースのコーナー部であったり、狭い部分であることから、短手カット部３を主として使い拭き掃除を行う。そして、机の中、飾り棚の中などの細かい箇所の拭き掃除を行う。さらに、机の上に置かれたパソコンや電話機の拭き掃除も短手カット部３を使って行うことができる。短手カット部３もまた、長手カット部２と同様、長方形の短辺に対して傾斜が付けられているため、短手カット部３を拭き掃除の対象部位に当てたとき、清掃用ヘラ１の作業者の握り部分に相当する長辺部１ａ、１ｂは上記拭き掃除の対象部位の面から垂直ではない所定の傾斜方向へ延びるから、作業者の手元と対象部位の面との位置関係を作業がし易い状態に設定することができる。したがって、清掃用ヘラ１により家具などの内部の拭き掃除も行え、どのような拭き掃除にも対応することができる。
【００２２】
また、清掃用ヘラを、これまで述べてきたものよりもさらに小さな寸法に成形し、且つ長手カット部２と短手カット部３は具備した状態に成形することにより、机の上のペン立てやバッグの中に入れておき、気が付いたときに簡単な拭き掃除を行うこともできる。
【００２３】
なお、以上の説明では清掃用ヘラとして、拭き掃除に供することを主として説明してきたが、そのような用途に限らず、例えばゴミ取り用道具として、布を巻きつけないままで、床面のゴミを集めたり、隙間の奥からゴミを掻き出したりする用途に使うこともできる。
【産業上の利用可能性】
【００２４】
以上から、本考案の清掃用ヘラは、シンプルで軽く、保管場所をとらない。使用に当っては、本考案の清掃用ヘラに布（マイクロファイバー、タオル、濡れぞうきん等）を巻いて、窓ガラス、壁、床、鏡、家具などの調度品、その他拭き掃除の必要な対象部位にはどこでも使用可能である。この清掃用ヘラには周囲の辺に種々のカット部が形成されているから、拭き掃除の対象部位に合わせて、或いは拭き掃除の対象部位と清掃用ヘラの使用者との位置関係に合わせて最適なヘラ部位（またはカット部位）を使って拭き掃除が行える。そして、棚の隅、家具の隙間床の隅、床と壁の境界など手が届き難い箇所や、無理な体勢を要する箇所の拭き掃除も楽に行えるなど利用範囲が広い。
【符号の説明】
【００２５】
１  清掃用ヘラ
２  長手カット部
３  短手カット部
４  穴
５  窓ガラス
【図１】
0003161025.tif 000003
【図２】
0003161025.tif 000004